(57)【要約】  汎用取付け具およびこの取付け具を含む分注器の例示的な実施形態を本明細書に開示する。例示的な汎用分注器用取付け具は台座を含む。台座は分注器に接続するための表面を有する。第１のばね腕部は台座から第１の方向に延び、第１の腕締付け具を有する。第２のばね腕部は台座から第２の方向に延び、第２の腕締付け具を有する。第１および第２のばね腕部は静止位置と付勢位置を有する。第１および第２のばね腕部を静止位置から移動すると、第１および第２のばね腕部を静止位置の方に付勢する締付け力をばね腕部に生成する。取付け具を表面に取り付けると、台座は表面の第１の側に配置され、第１および第２の腕締付け具は表面の第２の側に配置され、ばね腕部で生成された締付け力により取付け具を表面に固定する。
2020508729.tif 000002
【特許請求の範囲】
【請求項１】
分注器に接続するための第１の表面を有する台座、
前記台座から第１の方向に延び、第１の腕締付け具を有する第１のばね腕部、および
前記台座から第２の方向に延び、第２の腕締付け具を有する第２のばね腕部を含み、
前記第１および第２のばね腕部は静止位置と付勢位置を有し、前記第１および第２のばね腕部を前記静止位置から移動すると、前記第１および第２のばね腕部を前記静止位置の方に付勢する締付け力を前記ばね腕部に生成し、
分注器取付け具が表面に取り付けられると、
前記台座は前記表面の第１の側に配置され、前記第１および第２の腕締付け具は前記表面の第２の側に配置され、前記第１および第２のばね腕部で生成される前記締付け力により前記取付け具を前記表面に固定する、分注器取付け具。
【請求項２】
前記第１のばね腕部および前記第２のばね腕部は単一部品の一部である、請求項１に記載の分注器取付け具。
【請求項３】
前記単一部品の一部はＵ字型部を有する、請求項２に記載の分注器取付け具。
【請求項４】
前記単一部品はばね鋼製である、請求項２に記載の分注器取付け具。
【請求項５】
前記第１および第２のばね腕部はばね鋼製である、請求項１に記載の分注器取付け具。
【請求項６】
前記第１および第２の腕締付け具の少なくとも一部を覆う締付け握り部をさらに含む、請求項１に記載の分注器取付け具。
【請求項７】
前記台座に配置される取付けパッドをさらに含む、請求項１に記載の分注器取付け具。
【請求項８】
前記取付けパッドは復元力のある材料でできている、請求項７に記載の分注器取付け具。
【請求項９】
前記取付けパッドの少なくとも一部は湾曲面に取り付けるために湾曲している、請求項７に記載の分注器取付け具。
【請求項１０】
前記台座を前記第１および第２のばね腕部に接続する１つ以上の保持クリップをさらに含む、請求項１に記載の分注器取付け具。
【請求項１１】
前記取付け具の少なくとも一部を囲むゴムをさらに含む、請求項１に記載の分注器取付け具。
【請求項１２】
筐体、
容器、および
取付け具を含み、
前記取付け具は第１のばね腕部と第２のばね腕部を有し、
前記第１のばね腕部は第１の方向に延び、第１の腕締付け具を有し、
前記第２のばね腕部は第２の方向に延び、第２の腕締付け具を有し、
前記第１および第２のばね腕部は静止位置と付勢位置を有し、前記第１および第２のばね腕部を前記静止位置から移動すると、前記第１および第２のばね腕部を静止位置の方に付勢する締付け力を前記ばね腕部に生成する、分注器。
【請求項１３】
前記分注器は容器を含み、前記容器にポンプが接続されている、請求項１２に記載の分注器。
【請求項１４】
筐体を含み、
前記筐体は
容器を受ける継手と、
１つ以上のばね腕部を前記筐体に固定する１つ以上の保持クリップを有し、
前記１つ以上のばね腕部は１つ以上の腕締付け具を有し、
前記１つ以上のばね腕部を静止位置から移動すると、前記１つ以上のばね腕部で締付け力が生成され、
前記締付け力で分注器を表面に固定する、分注器。
【請求項１５】
前記１つ以上の保持クリップは前記筐体の背面に配置される、請求項１４に記載の分注器。
【請求項１６】
前記１つ以上の保持クリップは前記筐体の底部に配置されている、請求項１４に記載の分注器。
【請求項１７】
請求項２〜２３のいずれか１項に記載の特徴をさらに含む、請求項１４に記載の分注器。
【請求項１８】
前記分注器は容器を含み、前記容器の上部にポンプが接続されている、請求項１４に記載の分注器。
【請求項１９】
前記分注器は容器を含み、前記容器の底部にポンプが接続されている、請求項１４に記載の分注器。
【請求項２０】
前記分注器は非接触式分注器である、請求項１４に記載の分注器。
【発明の詳細な説明】
【技術分野】
【０００１】
関連出願
本願は２０１７年２月２１に出願された「UNIVERSAL DISPENSER BRACKETS（汎用分注器の取付け具）」という名称の米国特許仮出願第６２／４６１２５８号に対する優先権および利益を主張し、その全体が参照により本明細書に組み込まれる。
【０００２】
本発明は一般的には取付け具に関し、より具体的には分注器、例えば石鹸や消毒剤の分注器の取付け具に関する。
【背景技術】
【０００３】
液体分注器システム、例えば液体石鹸や消毒剤の分注器は、作動すると使用者にある量の液体を提供する。分注器は瓶およびこの瓶に固定されたポンプを含む卓上分注器であってもよい。さらに、分注器には壁に固定するのに適しているものがあり、壁に取り付けられる壁取付け具を有するものがある。しかし、多くの場合に分注器を他の場所に脱着可能に取り付けることができれば便利である。
【発明の概要】
【０００４】
汎用取付け具および取付け具付き分注器の例示的な側面を本明細書に開示する。例示的な汎用分注器の取付け具は台座を含む。この台座は分注器に接続される表面を有する。第１のばね腕部が台座から第１の方向に延び、第１の腕締付け具を有する。第２のばね腕部が台座から第２の方向に延び、第２の腕締付け具を有する。第１および第２のばね腕部は静止位置と付勢位置を有する。第１および第２のばね腕部を静止位置から移動すると、第１および第２のばね腕部を静止位置の方に付勢する締付け力をばね腕部に生成する。分注器取付け具が表面に取り付けられると、台座は表面の第１の側に配置され、第１および第２の腕締付け具は表面の第２の側に配置され、第１および第２のばね腕部で生成される締付け力により取付け具を表面に固定する。
【０００５】
例示的な分注器は筐体、容器を受ける継手、および取付け具を含む。取付け具は第１の方向に延びる第１のばね腕部を有する。第１のばね腕部は第１の腕締付け具を有する。取付け具は第２の方向に延びる第２のばね腕部を有し、第２のばね腕部は第２の腕締付け具を有する。第１および第２のばね腕部は静止位置と付勢位置を有する。第１および第２のばね腕部を静止位置から移動すると、第１および第２のばね腕部を静止位置の方に付勢する締付け力をばね腕部に生成する。
【０００６】
別の例示的な分注器は筐体を含む。筐体は容器を受ける継手を有する。筐体は１つ以上のばね腕部を筐体に固定する１つ以上の保持クリップを有する。１つ以上のばね腕部は１つ以上の腕締付け具を有する。１つ以上のばね腕部を静止位置から移動すると、１つ以上のばね腕部で締付け力が生成され、締付け力で分注器を表面に固定する。
【０００７】
このように、簡便で経済的な汎用取付け具を提供する。
【図面の簡単な説明】
【０００８】
本発明のこれらおよび他の特徴と利点についての理解を以下の記載と添付の図面によりさらに深めることができる。
【図１】新規な汎用取付け具で円柱面に取り付けられた分注器の斜視図である。
【図２】図１の新規な汎用取付け具で円柱面に取り付けられた分注器の別の斜視図である。
【図３】新規な汎用取付け具で仕切り壁上部に取り付けられた分注器の斜視図である。
【図４】新規な汎用取付け具で仕切り壁の脇に取り付けられた分注器の斜視図である。
【図５】新規な汎用取付け具で対面式調理台の表面に取り付けられた分注器の斜視図である。
【図６】新規な汎用取付け具の別の例示的な実施形態である。
【図６Ａ】取付け具台座に取り付けられた分注器取付け板の例示的な実施形態である。
【図７】取付け具台座の例示的な実施形態である。
【図８】取付け具台座の別の例示的な実施形態である。
【図９】汎用取付け具の例示的な実施形態である。
【図１０】分注器を汎用取付け具に接続する分注器取付け板の例示的な実施形態である。
【図１１】円柱面に取り付けられた図９の例示的な汎用取付け具の図である。
【図１２】円柱面に取り付けられた図９の例示的な汎用取付け具の図である。
【図１３】仕切りに取り付けられた図９の例示的な汎用取付け具の斜視図である。
【図１４】取付け具用の一体台座を有する背面板を有する例示的な分注器の背面図である。
【図１５Ａ】汎用取付け具の別の例示的な実施形態を示す。
【図１５Ｂ】汎用取付け具の別の例示的な実施形態を示す。
【図１６】汎用取付け具用のばね腕部の別の例示的な実施形態である。
【図１７】ばね腕部表面に設けられた腕締付け具の別の例示的な実施形態の部分図である。
【図１８】複数の装置を取り付ける汎用取付け具の別の例示的な実施形態である。
【発明を実施するための形態】
【０００９】
図１および図２は新規な汎用取付け具１２０で円柱面１０６に取り付けられた例示的な分注器１０２の斜視図である。汎用取付け具１２０は台座２０２を含む。第１のばね腕部１２２と第１の腕締付け具１２４は台座２０２から第１の方向に延びる。第２のばね腕部１２６と第２の腕締付け具１２８は台座２０２から第２の方向に延びる。分注器１０２は台座２０２に接続されている。
【００１０】
本実施形態では、分注器１０２は、押して製品を分注するプッシュバー１０３を含む手動分注器である。しかし、分注器１０２はどの種類の分注器であってもよい。実施形態によっては、分注器１０２は非接触式分注器である。実施形態によっては、分注器は瓶であり、この瓶の上面に手動の押しポンプが配置されている。例示的な分注器は例えば、非接触式分注器または手動分注器であってもよい。例示的な非接触式分注器と手動分注器は例えば、「Touch-Free Dispenser with Single Cell Operation and Battery Banking（単電池動作および組電池を用いる非接触式分注器）」という名称の米国特許第８，９６０４９８号、「Power Systems For Touch Free Dispensers and Refill Units Containing a Power Source（非接触式分注器用の電源システムおよび電源を含む再充填装置）」という名称の米国特許第９，１７２，２６６号、「Dispenser Lockout Mechanism（分注器施錠機構）」という名称の米国特許第８，４８５，３９５号、「Dispenser Having Top Loading and Unloading Refill Units（上部装脱着式再充填装置を有する分注器）」という名称の米国特許出願第２０１５／００５３７２０号、および「Manual Skin-Care Product Dispenser（手動式スキンケア製品分注器）」という名称の米国特許第８，０９１，７３８号に記載されており、これらすべてが参照により本明細書に組み込まれる。典型的には、本明細書に記載される例示的な分注器は石鹸、消毒剤、またはローションを使用者の手に分注するために用いられるが、他の種類の分注器を、本明細書に開示される汎用取付け具の例示的な実施形態を用いてあるものの表面に取り付けてもよい。
【００１１】
第１のばね腕部１２２、第２のばね腕部１２６、第１の腕締付け具１２４、および第２の腕締付け具１２８は復元力のある材料でできており、力が加えられると屈曲、すなわち静止位置から移動し、力が加えられなくなると元の形状に戻る。例示的な材料は例えば、ばね鋼であってもよい。ばね鋼製の物体は著しく曲げても捻っても元の形状に戻る。他の種類の材料は例えば、ASTM（JIS規格のSUSに相当）301、302、304、316、430、440、および17-7鋼などのオーステナイト系ステンレス鋼および析出硬化ステンレス鋼、黄銅、銅、青銅を含む他の弾性金属、ならびにガラス充填系またはガラス非充填系ＰＯＭ、ナイロン、およびＰＥＩを含む弾性プラスチック、ならびにガラス繊維補強ＰＥ、ＨＤＰＥ、ＰＰ、ＡＢＳ、ならびに複合プラスチック、例えば上述の種類のプラスチックや、マツ、カシ、ヒッコリー、セイヨウトネリコ、カエデ、アメリカスギを含む軟材もしくは硬材を充填した炭素繊維およびアラミド繊維、および加硫処理硬質ゴムであってもよい。
【００１２】
使用中に、台座２０２は分注器１０２に接続されている（実施形態によっては、取付け具１２０が台座２０２の表面に接続された後、台座２０２は分注器１０２に接続される）。第１のばね腕部１２２と第２のばね腕部１２６は分注器１０２から外側に曲げられ、これによりばね腕部１２２および１２６が元の位置に戻ろうとする際の締付け力を生成する。台座２０２が円柱面１０６の第１の側に配置され、かつ第１の腕締付け具１２４と第２の腕締付け具１２８が円柱面１０６の第２の側に配置されるように取付け具１２０の位置を移動させる。ばね腕部１２２および１２６は解放され、汎用取付け具１２０は本体の円柱面１０６に固定され、分注器１０２を望ましい位置に保持する。
【００１３】
図３は新規な汎用取付け具１２０で仕切り壁３０６の上部に取り付けられた例示的な分注器１０２の斜視図である。上記のように、汎用取付け具１２０は台座２０２を含む。第１のばね腕部１２２と第１の腕締付け具１２４は台座２０２から第１の方向に延びる。第２のばね腕部１２６と第２の腕締付け具１２８は台座２０２から第２の方向に延びる。この例示的な実施形態では、台座２０２は１つ以上の締結具で分注器１０２に接続されている。実施形態によっては、台座２０２は粘着テープで分注器１０２に接続されており、また実施形態によっては１つ以上の迅速継手、１つ以上の磁石、１つ以上の面締め具（例えばベルクロ（登録商標））、１つ以上のクリップ、中間取付け板などで接続されている。さらに、取付け具１２０は複数の締付け握り部３０２を含む。複数の締付け握り部３０２は第１の腕締付け具１２４と第２の腕締付け具１２８をそれぞれ覆う。本実施形態では、汎用取付け具１２０を仕切り壁３０６の上部に接続することができるようにばね腕部１２２および１２６を９０°の向きで台座２０２に接続する。
【００１４】
使用中に、台座２０２は分注器１０２に接続されている（実施形態によっては、取付け具１２０が台座２０２の表面に接続した後、台座２０２は分注器１０２に接続される）。第１のばね腕部１２２と第２のばね腕部１２６は分注器１０２から外側に曲げられ、これによりばね腕部１２２および１２６が元の位置に戻ろうとする際の締付け力を生成する。台座２０２が仕切り壁３０６の第１の側に配置され、かつ第１の腕締付け具１２４と第２の腕締付け具１２８が仕切り壁３０６の第２の側に配置されるように仕切り壁３０６の上部の位置に取付け具１２０の位置を移動させる。ばね腕部１２２および１２６は解放され、取付け具１２０は仕切り壁３０６を締め付け、分注器１０２を望ましい位置に保持する。
【００１５】
図４は新規な汎用取付け具１０２で仕切り壁３０６の側に取り付けられた分注器１０２の斜視図である。上記のように、使用中に台座２０２は１８０°の垂直位置で分注器１０２に接続される（実施形態によっては、取付け具１２０が台座２０２の表面に接続された後、台座２０２は分注器１０２に接続される）。第１のばね腕部１２２と第２のばね腕部１２６は分注器１０２から外側に曲げられ、これによりばね腕部１２２および１２６が元の位置に戻ろうとする際の締付け力を生成する。台座２０２が仕切り壁４０６の第１の側に配置され、かつ第１の腕締付け具１２４と第２の腕締付け具１２８が仕切り壁４０６の第２の側に配置されるように取付け具１２０は仕切り壁４０６の側の位置に配置される。ばね腕部１２２および１２６は解放され、取付け具１２０は仕切り壁４０６を締め付け、分注器１０２を望ましい位置に保持する。
【００１６】
図５は新規な汎用取付け具１２０で対面式調理台５０６の表面に取り付けられた別の分注器１０４の斜視図である。本実施形態では、分注器１０４は滴受け皿５０６と延長部５０２を含む。上記のように、使用中に台座２０２は滴受け皿５０６の底部で分注器１０４に接続される。実施形態によっては、分注器１０４は上部から分注し、滴受け皿は必要ない。そのような場合、台座２０２を分注器１０４、すなわち容器の底部に取り付けてもよい（実施形態によっては、取付け具１２０が台座２０２の表面に接続された後、台座２０２は分注器１０４に接続される）。上記のように、第１のばね腕部１２２と第２のばね腕部１２６は分注器１０４から外側に曲げられ、これによりばね腕部１２２および１２６が元の位置に戻ろうとする際の締付け力を生成する。台座２０２が対面式調理台５０６の第１の側に配置され、かつ第１の腕締付け具１２４および第２の腕締付け具１２８が対面式調理台５０６の第２の側に配置されるように対面式調理台５０６の側にある位置に取付け具１２０を移動する。ばね腕部１２２および１２６は解放され、取付け具１２０は分注器１０４を望ましい位置で対面式調理台５０６に固定する。
【００１７】
図６は新規な汎用取付け具６２０の別の例示的な実施形態である。汎用取付け具６２０は台座６０２を含む。台座６０２は複数の保持クリップ６０６を含む。第１のばね腕部６２２と第１の腕締付け具６２４は台座６０２から第１の方向に延びる。第２のばね腕部６２６と第２の腕締付け具６２８は台座６０２から第２の方向に延びる。締付け握り部６０２および６１２は腕締付け具６２４および６２８の表面に配置され、締付け面を把持する一助となり、および／または締付け面を保護する。実施形態によっては、締付け握り部６０２および６１２はゴム製である。実施形態によっては、締付け握り部６０２および６１２はプラスチック製である。表面接触パッド６１０は台座６１０に配置される。表面接触パッド６１０は締付け面を保護し、および／または取付け具６２０をさらに把持し、汎用取付け具６２０が取り付けられる表面で滑走するのを防止する一助となる。実施形態によっては、表面接触パッド６１０はゴム製である。実施形態によっては、表面接触パッド６１０は取付け具６２０が取り付けられる表面に関連する起伏面を有する。例えば、起伏面は締め付けられる棒またはレールと同じ半径の表面を有してもよい。実施形態によっては、
取付け具が接続されている表面と、吸着カップ型のかかり合いを形成して、前記起伏面が前記表面に対してシールする。表面接触パッド６１０はどの形状であってもよく、実施形態によっては取付け表面に基づいて大きさを決める。実施形態によっては、表面接触パッド６１０の大きさを汎用取付け具６２０に取り付けられる分注器の重量または大きさに基づいて決定する。
【００１８】
第１のばね腕部６２２と第２のばね腕部６２６は、力を加えられると屈曲、つまり静止位置から移動し、力が加えられなくなると元の形状に戻る復元力のある材料でできている。例示的な材料は例えば、ばね鋼である。ばね鋼製の物体は著しく曲げても捻っても元の形状に戻る。他の種類の材料は例えば、ASTM（JIS規格のSUSに相当）301、302、304、316、430、440、および17-7鋼などのオーステナイト系ステンレス鋼および析出硬化ステンレス鋼、黄銅、銅、青銅を含む他の弾性金属、ならびにガラス充填系またはガラス非充填系ＰＯＭ、ナイロン、およびＰＥＩを含む弾性プラスチック、ならびにガラス繊維補強ＰＥ、ＨＤＰＥ、ＰＰ、ＡＢＳ、ならびに複合プラスチック、例えば上述の種類のプラスチックや、マツ、カシ、ヒッコリー、セイヨウトネリコ、カエデ、アメリカスギを含む軟材もしくは硬材を充填した炭素繊維およびアラミド繊維、および加硫処理硬質ゴムであってもよい。この例示的な実施形態では、第１のばね腕部６２２、第２のばね腕部６２６、第１の腕締付け具６２４、および第２の腕締付け具６２８は単一部品でできている。この例示的な実施形態では、単一部品の中央に配置されるのはＵ字型部６０４である。Ｕ字型部６０４は第１のばね腕部６２２と第２のばね腕部６２６を台座６０６に接続する。実施形態によっては、第１のばね腕部６２２と第２のばね腕部６２６は別々の部品であり、台座６０６に別々に接続される。
【００１９】
図６Ａは取付け具台座６０２に取り付けられる分注器取付け板６５０の例示的な実施形態である。分注器取付け板６５０は分注器（図示せず）に接続され、複数のクリップ６５１を有する。３個のクリップ６５１があり、各側に１個ずつ、そして上部に１個ある。この例示的な実施形態では、取付け板６５０は台座６０２の上方で滑走し、分注器を台座６０２に固定する。取付け板６５０を任意の手段、例えば締結具、両面テープ、面締め具、磁気結合、接着剤などで分注器に接続してもよい。
【００２０】
図７は取付け具台座７０２の例示的な実施形態である。取付け具台座７０２は複数の保持クリップ７０６を含む。複数の保持クリップ７０６は、ばね腕部７２２および７２６（ばね腕部７２２および７２６の部分図のみを示す）のＵ字型部７０４を台座７０２に保持する。本実施形態では、ばね腕部を保持するために３個の保持クリップ７０６が必要である。本実施形態では、４個の保持クリップ７０６がある。こうして、ばね腕部７２６が４つの異なる位置で台座７０２から外側に延びるようにばね腕部７２２および７２６を台座７０２に取り付けることができる。この例示的な実施形態では、クリップ７０６は、Ｕ字型部をクリップ７０６の両側に保持できるようにもなっている。クリップ７０６は、Ｕ字型部７０４が生成した「ばね」力を用いてＵ字型部７０４を定位置に保持する。
【００２１】
図８は取付け具台座８０２の別の例示的な実施形態である。取付け具台座８０２は取付け具７０２に似ているが、異なる種類のクリップ８０６を有する。クリップ８０６はＵ字型部材８０４を挟み込む。
【００２２】
図９は汎用取付け具９００の別の例示的な実施形態である。取付け具９００は第１のばね腕部９２２、第２のばね腕部９２６、第１の腕締付け具９２４、および第２の腕締付け具９２８を含む。さらに、取付け具９００は台座９０２を含む。取付け具９００は取付け具全体にゴム被覆９５０を含む。実施形態によっては、取付け具９００の一部のみがゴム被覆９５０を含む。ゴム被覆９５０により取付け具９００は消毒しやすくなり、取付け面を把持するのにも有用である。実施形態によっては、ゴム被覆は上記の材料製の台座、ばね腕部、および腕締付け具を囲む。実施形態によっては、取付け具９００は全体がゴム製である。実施形態によっては、台座９０２は分注器に取り付け、および／または表面を把持するために磁気材料を含む。実施形態によっては、台座９０２は金属部材を含む。
【００２３】
図１０は分注器を汎用取付け具９００に接続する分注器取付け板１０００の例示的な実施形態である。取付け具９００が磁気材料を含有する場合、分注器取付け板１０００は金属板を含んでもよい。実施形態によっては、分注器取付け板１０００は汎用取付け具９００および／または分注器（図示せず）に接続する接着剤、１つ以上の面締め具、両面テープなどを含む。
【００２４】
図１１および図１２は円柱面に取り付けられた例示的な汎用取付け具９００の図である。本実施形態では、分注器１３０１は取付け具９００に固定されている。取付け具９００は、上記と同様に円柱面１１０２または仕切り壁１３０２（図１３）に取り付けられる。
【００２５】
図１４は背面板１４０２を有する例示的な分注器１４００の背面図である。背面板１４０２は内部に一体的に形成された複数の保持クリップ１４０６を含む。保持クリップ１４０６はばね腕部１４２２および１４２６のＵ字型部１４０４と、腕締付け具１４２４および１４２８を保持し、上記と同様に機能する。
【００２６】
図１５Ａおよび図１５Ｂは汎用取付け具１５００の別の例示的な実施形態を示す。汎用取付け具１５００は第１のばね腕部１５２２、第１の腕締付け具１５２４、第２のばね腕部１５２６、第２の腕締付け具１５２８、および台座１５０２を有する。分注器（図示せず）に接続される取付け具１５５０が台座１５０２に固定されている。この例示的な実施形態では、第１のばね腕部１５２２、第１の腕締付け具１５２４、第２のばね腕部１５２６、第２の腕締付け具１５２８、および台座１５０２は単一部品であり、例えばばね鋼、または同じ機能を実行する本明細書に記載の他の材料製である。この例示的な実施形態では、第１のばね腕部１５２２、第１の腕締付け具１５２４、第２のばね腕部１５２６、第２の腕締付け具１５２８、および台座１５０２は平坦であるが、様々な形状や厚さを有してもよい。
【００２７】
図１６は汎用取付け具１６００用のばね腕部と締付け具の別の例示的な実施形態である。第１のばね腕部１６２２と第２のばね腕部１６２６のＵ字型部１６０４、および第１の腕締付け具１６２４と第２の腕締付け具１６２８は上記のものと似ており、本明細書に重複記載しない。締付け握り部１６０２および１６１２は、ばね腕部１６２２および１６２６を操作するときに用いることができるタブ１６５０および１６５２をそれぞれ含む。締付け握り部１６０２および１６１２はやや弓形の形状を有してもよく、より厚く、これにより取付け面を把持する一助となるように設計されている。
【００２８】
図１７はばね腕部表面に設けられた腕締付け具１７００の別の例示的な実施形態の部分図である。図１７は腕締付け具１６０２の予備曲げ加工を示す。この例示的な実施形態では、静止位置にある腕締付け具１６０２がある角度で延び、台座（図示せず）に非平行となるように腕締付け具を曲げる。実施形態によっては、予備曲げ加工の角度は約３°〜約１５°である。取付け具を表面に接続する場合に腕締付け具１６０２がかかり合う表面から離れた方向で予備曲げ加工を行う。
【００２９】
図１８は複数の装置を取り付ける汎用取付け具１８００の別の例示的な実施形態である。汎用取付け具１８００は、ばね腕部１８２２、第２のばね腕部１８２６、第１の腕締付け具１８２４、および第２の腕締付け具１８２８用の台座１８０２を含む上記のものと類似の部品を有する。さらに、汎用取付け具１８００は第２の分注器（図示せず）を取り付ける第２の台座１８０４を含む。分注器取付け板１８５０は台座１８０２に接続され、第２の分注器が台座１８０４に取り付けられる余地があることが分かる。
【００３０】
本発明をその実施形態の記載で示し、実施形態を相当詳細に記載しているが、添付の特許請求の範囲を何らかの形でそのような詳細に限定することを出願人は意図していない。当業者はさらなる利点や変形例に容易に想到する。したがってそのより広範な側面において本発明は示され、記載される特定の詳細、代表的装置、および図示例に限定されない。したがって、そのような詳細から乖離しても、出願人の全体的な発明概念の趣旨または範囲から逸脱することはない。
【図１】
2020508729.tif 000003
【図２】
2020508729.tif 000004
【図３】
2020508729.tif 000005
【図４】
2020508729.tif 000006
【図５】
2020508729.tif 000007
【図６】
2020508729.tif 000008
【図６Ａ】
2020508729.tif 000009
【図７】
2020508729.tif 000010
【図８】
2020508729.tif 000011
【図９】
2020508729.tif 000012
【図１０】
2020508729.tif 000013
【図１１】
2020508729.tif 000014
【図１２】
2020508729.tif 000015
【図１３】
2020508729.tif 000016
【図１４】
2020508729.tif 000017
【図１５Ａ】
2020508729.tif 000018
【図１５Ｂ】
2020508729.tif 000019
【図１６】
2020508729.tif 000020
【図１７】
2020508729.tif 000021
【図１８】
2020508729.tif 000022
【国際調査報告】
2020508729.tif 000023
2020508729.tif 000024
2020508729.tif 000025